(57)【要約】【課題】  衣服についた砂を簡単に振り払えるとともに、衣服自体を遊び道具にする。【解決手段】  衣服本体１０に取り付けられるポケット２０を、略三角形状に形成し、この三角形状の各辺に、ポケット２０の一部を衣服本体１０に固着させる固着部２１と、ポケット２０の一部を衣服本体１０に着脱自在に付着させる付着部２２と、ポケット２０内に砂を詰め込むための開口部２４とを形成する。また、付着部２２の一端部には帯状の取っ手部２３を設ける。【選択図】  図１
0003121213.tif 000002
【実用新案登録請求の範囲】
【請求項１】
衣服本体に一または複数の収納部を有する砂遊び用衣服であって、
前記収納部の一部を前記衣服本体に固着させる固着部と、
前記固着部が形成される前記収納部の一部とは異なる他の一部を前記衣服本体に着脱自在に付着させる付着部と、
前記固着部の一端部と前記付着部の一端部の間に形成される開口部と、
前記付着部の一端部に設けられる取っ手部と、を備え、
前記固着部により形成される直線状の固着部ラインと前記付着部により形成される直線状の付着部ラインとで三角形の２辺が形成されることを特徴とする砂遊び用衣服。
【請求項２】
前記固着部ラインの一部および前記付着部ラインの一部を半径とする扇形が、当該扇形を一部とする円のうちの上部側の半円の一部として形成されることを特徴とする請求項１記載の砂遊び用衣服。
【請求項３】
前記収納部は略三角形状であり、
前記固着部は前記収納部の一辺に形成され、
前記付着部は前記固着部が形成される前記収納部の一辺とは異なる他の一辺に形成されることを特徴とする請求項１または２記載の砂遊び用衣服。
【請求項４】
前記付着部は、面ファスナーにより形成されることを特徴とする請求項１〜３のいずれか１項に記載の砂遊び用衣服。
【考案の詳細な説明】
【技術分野】
【０００１】
本考案は、子供が砂遊びをするときに着用する砂遊び用衣服に関する。
【背景技術】
【０００２】
従来、服の中に砂が入り込むことを防ぐ砂遊び用の衣服として、下記特許文献１に開示された子供用遊び着がある。
【特許文献１】実開平６−６４１４号公報
【考案の開示】
【考案が解決しようとする課題】
【０００３】
上述した従来の子供用遊び着は、砂が侵入することを防止し、遊び着についた砂を簡単に振り払えることを目的として提供されている。したがって、遊び着の表面には、ポケットを含めて何も取り付けられていない。すなわち、従来は遊び着自体に遊びの要素が取り込まれていなかった。
【０００４】
そこで、本考案は、上述した課題を解決するために、衣服についた砂を簡単に振り払えるとともに、衣服自体を遊び道具にすることができる砂遊び用衣服を提供することを目的とする。
【課題を解決するための手段】
【０００５】
本考案の砂遊び用衣服は、衣服本体に一または複数の収納部を有する砂遊び用衣服であって、収納部の一部を衣服本体に固着させる固着部と、固着部が形成される収納部の一部とは異なる他の一部を衣服本体に着脱自在に付着させる付着部と、固着部の一端部と付着部の一端部の間に形成される開口部と、付着部の一端部に設けられる取っ手部と、を備え、固着部により形成される直線状の固着部ラインと付着部により形成される直線状の付着部ラインとで三角形の２辺が形成されることを特徴とする。
【０００６】
この考案によれば、付着部が衣服本体に付着されているときには、収納部が固着部と付着部とでしっかりと衣服本体に接着されているため、開口部から収納部内に詰め込まれた砂を、確実に収納部内に収納させることができる。また、取っ手部が引っ張られて付着部が完全に剥がされると、収納部が全開となり、収納部が固着部のみで衣服本体に固着されている状態となるため、収納部内に収納された砂を全て落とすことができる。すなわち、砂を落とす作業が、取っ手部を引っ張るだけの一動作で完了する。これにより、衣服についた砂を簡単に振り払えるとともに、衣服自体を遊び道具にすることができる。
【０００７】
本考案の砂遊び用衣服において、上記固着部ラインの一部および付着部ラインの一部を半径とする扇形が、当該扇形を一部とする円のうちの上部側の半円の一部として形成されることが好ましい。このようにすれば、開口部から収納部内に詰め込まれた砂を、収納部内に確実に収納させることができる。
【０００８】
本考案の砂遊び用衣服において、上記収納部は略三角形状であり、上記固着部は収納部の一辺に形成され、上記付着部は固着部が形成される収納部の一辺とは異なる他の一辺に形成されることが好ましい。このようにすれば、付着部が接着されている場合に、開口部から砂をより詰め込みやすくすることができるとともに、取っ手部を引っ張るだけで収納部に収納された砂を全て落とすことができる。
【０００９】
本考案の砂遊び用衣服において、上記付着部は、面ファスナーにより形成されることが好ましい。このようにすれば、非力な子供であっても簡易にポケットを開くことができる。
【考案の効果】
【００１０】
本考案に係る砂遊び用衣服によれば、衣服についた砂を簡単に振り払えるとともに、衣服自体を遊び道具にすることができる。
【考案を実施するための最良の形態】
【００１１】
以下、本考案に係る砂遊び用衣服の実施形態を図面に基づき説明する。なお、各図において、同一要素には同一符号を付して重複する説明を省略する。
【００１２】
図１は、実施形態における砂遊び用衣服を例示する図である。図１に示すように、砂遊び用衣服１は、衣服本体１０と、この衣服本体１０の前身頃に取り付けられるポケット２０（収納部）とを有する。なお、ポケット２０は、必ずしも前身頃に取り付けられている必要はなく、着用者の手が届く範囲内に取り付けられていればよい。衣服本体１０は、軽撥水性のナイロンを素材に製造されている。本実施形態における砂遊び用衣服は、身長が８０〜９５ｃｍ（１０ヶ月〜３歳位）の乳幼児を対象にして縫製されたものである。ただし、これは本考案に係る砂遊び用衣服を、身長が８０〜９５ｃｍの乳幼児用の衣服に限定するものではなく、身長が９５ｃｍを超える子供用の衣服にも本考案は適用可能である。
【００１３】
衣服本体１０の両腕部分と両脚部分には、ナイロン樹脂製のボタン１１と、このボタン１１を留めるためのループ１２とがそれぞれ２箇所ずつ取り付けられている。図１に示す砂遊び用衣服１の右腕部分および右脚部分は、ボタン１１がループ１２に留められていない状態であり、左腕部分および左脚部分は、ボタン１１がループ１２に留められている状態である。ボタン１１をループ１２に留めていない状態では、腕部分の長さおよび脚部分の長さはともに２７０ｍｍとなる。一方、ボタン１１をループ１２に留めた状態では、腕部分の長さが２２０ｍｍになり、脚部分の長さが１７０ｍｍになる。ボタン１１をループ１２に留めることによって、腕部分や脚部分を簡便にまくり上げることができる。
【００１４】
衣服本体１０の両脇の下部分には、通気窓１３がそれぞれ設けられている。衣服本体１０が通気性の悪いナイロン製であるため、砂がかかりにくい脇の下部分に通気窓１３を設けることによって、衣服内に砂を入れることなく、衣服内にこもった熱気を外部に逃すことができる。
【００１５】
ポケット２０は、略三角形状に形成され、この三角形状の各辺には、固着部２１と、付着部２２と、開口部２４とが形成されている。また、付着部２２の一端部には、取っ手部２３が設けられている。なお、図１に示すポケット２０は、右利き用のポケットである。したがって、図１に示すポケット２０は、ポケット２０の開口部２４が右腕側に向くように衣服本体１０に取り付けられている。
【００１６】
固着部２１は、ポケット２０の一部を衣服本体１０に固着させる。本実施形態では、縫着によって衣服本体１０に固着されている。なお、固着部２１は、縫着によって固着されることには限定されず、ポケット２０の一部が衣服本体１０にしっかり固着されていればよい。したがって、例えば、スライドファスナー等で固着されていてもよい。
【００１７】
付着部２２は、ポケット２０の一部を衣服本体１０に着脱自在に付着させる。本実施形態では、面ファスナーを用いて着脱自在に付着させている。面ファスナーとしては、例えば、マジックテープ（登録商標）、フリーマジック（登録商標）、ソフトマジック（登録商標）、エコマジック（登録商標）、モールドマジック（登録商標）、制電マジック等が該当する。付着部２２に面ファスナーを用いることによって、非力な乳幼児であっても簡易にポケットを開くことができる。なお、付着部２２は、面ファスナーを用いて付着することには限定されず、衣服本体１０に着脱自在に付着されていればよい。したがって、例えば、スナップホック等で付着してもよい。ただし、面ファスナーを用いて付着させた方が、付着部２２の着脱をより簡易にすることができるとともに、ポケット内に砂をよりしっかりと収納させることができる。
【００１８】
開口部２４は、固着部２１の一端部と付着部２２の一端部の間に形成される。この開口部２４からポケット２０内に砂が詰め込まれることになる。なお、三角形状のポケット２０の一辺に開口部２４を形成することによって、付着部２２が衣服本体１０に付着している場合に、開口部２４から砂をより詰め込みやすくすることができる。
【００１９】
取っ手部２３は、付着部２２が形成されているポケット２０の一辺と開口部２４が形成されているポケット２０の一辺とが交わるポケット２０の頂点付近に設けられる。この取っ手部２３は、ポケット２０を開閉する際に掴みやすいように帯状に設けられている。なお、取っ手部２３の形状は、帯状に限定されることはなく、掴みやすい形状であればどのような形状であってもよい。
【００２０】
次に、図２〜図４を参照して、砂遊び用衣服１のポケット２０が有する機能について具体的に説明する。
【００２１】
まず、付着部２２が衣服本体１０に付着されているとき（図２参照）には、ポケット２０が固着部２１と付着部２２とでしっかりと衣服本体１０に接着されているため、開口部２４からポケット２０内に詰め込まれた砂を、確実にポケット２０内に収納させることができる。次に、取っ手部２３が図３中の矢印方向に引っ張られて（図３参照）付着部２２ａ，２２ｂが完全に剥がされると、ポケット２０が全開となる（図４参照）。この場合には、ポケット２０が、固着部２１のみで衣服本体１０に固着されている状態となるため、ポケット２０内に収納された砂を全て落とすことができる。すなわち、砂を落とす作業が、取っ手部２３を引っ張るだけの一動作で完了する。
【００２２】
以上より、本実施形態における砂遊び用衣服１では、例えば、子供が砂場で砂遊びをして衣服から砂を振り払うときに、非力な乳幼児でも剥がせる面ファスナーを、掴みやすい取っ手部２３を引っ張りながら剥がすことで、ポケット２０内に詰め込まれた砂を簡単に落とすことができる。また、このようなポケット２０を設けることで、好奇心旺盛な子供心をくすぐらすことができ、このポケット２０に執着させることができる。したがって、遊びの要素を取り込んだ砂遊び用衣服を提供することが可能となった。
【００２３】
なお、衣服本体１０に取り付けられるポケット２０の向きは、上述した図１に示す右利き用の向きには限定されず、左利き用の向きであってもよい。ポケット２０の向きは、ポケット２０に詰め込まれた砂をポケット２０内に収納することができる向きであればよい。以下において、衣服本体１０に取り付けられるポケットの向きの範囲について、図５および図６を参照して具体的に説明する。
【００２４】
図５（ａ）は、図１に示すポケット２０と同じ向きで衣服本体１０に取り付けられている状態のポケットの向きを現す図である。図５（ｂ）は、図５（ａ）に示すポケットを、紙面に向かって左方向に限界まで回転させた状態のポケットの向きを現す図である。図５（ｃ）は、図５（ａ）に示すポケットを、紙面に向かって右方向に限界まで回転させた状態のポケットの向きを現す図である。図６は、衣服本体１０に取り付けられるポケットの向きの範囲を、図５（ｂ）に示すポケットと図５（ｃ）に示すポケットとを用いて模式的に現した図である。
【００２５】
図５（ａ）に示すポケット２０は、固着部２１が形成されているポケット２０の一辺と付着部２２が形成されているポケット２０の一辺とが交わるポケット２０の一頂点が、水平ラインＨに接している。図５（ｂ）に示すポケット２０は、固着部２１が形成されているポケット２０の一辺の一部が、水平ラインＨに接している。すなわち、図５（ｂ）に示すポケット２０の向きは、固着部２１によって形成される直線状の固着部ライン２１Ｌと、水平ラインＨとが略平行関係になる向きである。図５（ｃ）に示すポケット２０は、付着部２２が形成されているポケット２０の一辺の一部が、水平ラインＨに接している。すなわち、図５（ｃ）に示すポケット２０の向きは、付着部２２によって形成される直線状の付着部ライン２２Ｌと、水平ラインＨとが略平行関係になる向きである。
【００２６】
これらの関係を、図６を参照して説明すると、衣服本体１０に取り付けられるポケット２０は、仮に、固着部２１によって形成される直線状の固着部ライン２１Ｌの一部と、付着部２２によって形成される直線状の付着部ライン２２Ｌの一部とを半径とする扇形を形成した場合に、この形成した扇形が、当該扇形を一部とする円のうちの上部側の半円の一部として形成される範囲内に形成することができる。ポケット２０の向きを、この範囲内に納めることで、開口部２４からポケット２０内に詰め込まれた砂を、ポケット２０内に確実に収納させることができる。
【００２７】
また、ポケットを構成する各要素（固着部２１、付着部２２、開口部２４、取っ手部２３）の配置は、上述した実施形態におけるポケット２０の各要素の配置には限定されない。例えば、図７に示すように、上述した実施形態におけるポケット２０の裏表を反転した場合に構成される各要素の配置にしてもよい。この変形例における、ポケットの向きの範囲について、図７を参照して説明する。図７は、上述した図６に対応する図であり、本変形例におけるポケットの向きの範囲を、図５（ｂ）に対応するポケットと図５（ｃ）に対応するポケットとを用いて模式的に現した図である。本変形例におけるポケットは、仮に、固着部２１によって形成される直線状の固着部ライン２１Ｌの一部と、付着部２２によって形成される直線状の付着部ライン２２Ｌの一部とを半径とする扇形を形成した場合に、この形成した扇形が、当該扇形を一部とする円のうちの上部側の半円の一部として形成される範囲内に形成することができる。
【００２８】
また、上述した実施形態では、衣服本体１０に一のポケット２０のみを設けているが、衣服本体１０に複数のポケットを設けてもよい。この場合に、右利き用のポケットと左利き用のポケットの両方を設けることもできる。
【図面の簡単な説明】
【００２９】
【図１】本考案の実施形態における砂遊び用衣服を例示する図である。
【図２】図１に示す砂遊び用衣服のポケットが有する機能を説明するための図である。
【図３】図１に示す砂遊び用衣服のポケットが有する機能を説明するための図である。
【図４】図１に示す砂遊び用衣服のポケットが有する機能を説明するための図である。
【図５】図１に示す衣服本体に取り付けられるポケットの向きの範囲を説明するための図である。
【図６】図１に示す衣服本体に取り付けられるポケットの向きの範囲を説明するための図である。
【図７】変形例におけるポケットの向きの範囲を説明するための図である。
【符号の説明】
【００３０】
１・・・砂遊び用衣服、１０・・・衣服本体、１１・・・ボタン、１２・・・ループ、１３・・・通気窓、２０・・・ポケット、２１・・・固着部、２１Ｌ・・・固着部ライン、２２・・・付着部、２２Ｌ・・・付着部ライン、２３・・・取っ手部、２４・・・開口部。
【図１】
0003121213.tif 000003
【図２】
0003121213.tif 000004
【図３】
0003121213.tif 000005
【図４】
0003121213.tif 000006
【図５】
0003121213.tif 000007
【図６】
0003121213.tif 000008
【図７】
0003121213.tif 000009
【手続補正書】
【提出日】平成18年2月17日(2006.2.17)
【手続補正１】
【補正対象書類名】図面
【補正対象項目名】全図
【補正方法】変更
【補正の内容】
【図１】
0003121213.tif 000010
【図２】
0003121213.tif 000011
【図３】
0003121213.tif 000012
【図４】
0003121213.tif 000013
【図５】
0003121213.tif 000014
【図６】
0003121213.tif 000015
【図７】
0003121213.tif 000016